(57)【要約】  ＴＤＭＡシステムにおいて、複数の加入者装置（ＳＵ；１２，１４，２２）および複数の基地無線（ＢＲ；５，７，１３）が、音声伝送用チャネルへのアクセスを提供する。ＳＵはモバイルユニット上で「プッシュ・ツー・トーク」を押下することによって、音声伝送をリクエストする（２０２）。次に、ＳＵは音声伝送に「丁寧」なチャネル・アクセスが供給されているか否かを判定する（２１６）。この「丁寧」なチャネル・アクセスが、ＳＵが全てに対し「丁寧」であることを指定する場合（２１６）、ＳＵはＳＵユーザに負のフィードバックを送信する（２２０）。これに代えて、この「丁寧」なチャネル・アクセスが、ＳＵが全てに対し「丁寧」（２１８）なのではなく自身の色符号に対し「丁寧」である（２１８）ことを指定する場合、ＳＵはＢＲとのタイムスロット同期を実行する。
2008500785.tif 000002
【特許請求の範囲】
【請求項１】
複数の加入者装置および複数の基地無線を含むＴＤＭＡ方式において、第１の加入者装置が音声伝送用チャネルにアクセスすることを可能とする方法であって、
第１の色符号および第１のトークグループＩＤによって特徴付けられる第１の加入者装置に音声伝送用チャネルへの丁寧なアクセスが供給されることを判定する工程と、
音声伝送用チャネル上で第２の色符号および第２のトークグループＩＤを有する第２の加入者装置からの音声伝送を調査する工程と、
第１の色符号と第２の色符号とがマッチし、かつ、第１のトークグループＩＤと第２のトークグループＩＤとがマッチする場合、音声伝送用チャネルが第２の加入者装置による音声伝送に使用されているときであっても、第１の加入者装置が音声伝送用チャネルにアクセスすることを可能とする工程と、からなる方法。
【請求項２】
第１の色符号と第２の色符号とがマッチし、かつ、第１のトークグループＩＤと第２のトークグループＩＤとがマッチする場合であって、チャネルが音声伝送に使用されていないハングタイム期間に第１の加入者装置があるとき、第１の加入者装置が音声伝送用チャネルにアクセスすることを可能とする工程を含む請求項１に記載の方法。
【請求項３】
ハングタイムは呼の終了後に開始する期間によって定義されることを含む請求項２に記載の方法。
【請求項４】
第１の色符号と第２の色符号とがマッチしない場合であって、チャネルが音声伝送に使用されている呼ハングタイム期間に第１の加入者装置があるとき、第１の加入者装置が音声伝送用チャネルにアクセスすることを可能としない工程を含む請求項１に記載の方法。
【請求項５】
第１の色符号と第２の色符号とがマッチしない場合であって、第１の加入者装置が音声伝送に使用されているとき、第１の加入者装置が音声伝送用チャネルにアクセスすることを可能としない工程を含む請求項１に記載の方法。
【請求項６】
第１の加入者装置はダイレクト・モードによって特徴付けられることと、ダイレクト・モードでは第１の加入者装置は複数の基地無線のうちの１つの基地無線の支援なしで複数の加入者装置のうちの第３の加入者装置に音声伝送を送信することと、を含む請求項１に記載の方法。
【請求項７】
第１の加入者装置はリピータ・モードによって特徴付けられることと、リピータ・モードでは第１の加入者装置は複数の基地無線のうちの１つの基地無線を利用することによって複数の加入者装置のうちの第３の加入者装置に音声伝送を送信することと、を含む請求項１に記載の方法。
【請求項８】
複数の基地無線のうちの１つ以上の基地無線はチャネルがアイドル状態であることを示すメッセージを送信する請求項１に記載の方法。
【請求項９】
メッセージは呼ハングタイムメッセージである請求項８に記載の方法。
【請求項１０】
第１のトークグループＩＤが呼ハングタイムメッセージのトークグループＩＤとマッチする場合、第１の加入者装置は音声伝送用チャネルへのアクセスを許可される請求項９に記載の方法。
【発明の詳細な説明】
【技術分野】
【０００１】
本発明は無線通信システムに関する。より詳細には、本発明は時分割多元接続（ＴＤＭＡ）システムにおける音声伝送に関する。
【背景技術】
【０００２】
一般に、無線通信システムは１組の「加入者装置」と、１組の「基地無線」と、中継手段とを含み得る。典型的には、加入者装置は通信路の終了点であり、「基地無線」は固定である。また、中継手段によって、加入者装置（ＳＵ）への通信路が確立または維持される。そのようなタイプのシステムの１つは時分割多元接続（ＴＤＭＡ）通信システムである。ＴＤＭＡ通信システムでは、システムの通信を搬送するため、無線媒体はタイムスロットへ分割される。無線媒体は共有の媒体であるので、無線媒体へのアクセスを管理し、ＳＵが無線媒体を音声通信に利用することを可能とする必要がある。
【０００３】
詳細には、ＳＵが伝送を行うには、そのＳＵは最初に基地無線（ＢＲ）を作動させ、同期を取得する必要がある。同期を取得すると、ＳＵは呼が設定されることをリクエストし、無線媒体上で送信する。ＢＲの作動および同期が必要であるので、発呼には余分な時間が要求される。したがって、これらの手続きを回避して、発呼に要する時間の量を低減することが望ましい。さらに、一定のＳＵが無線媒体への優先的なアクセスを必要とし、アクティブ呼状況中に送信を行うため無線媒体へのアクセスを与えられることを必要とする場合がある。
【０００４】
したがって、音声通信用チャネルへのアクセスを提供する必要が存在する。
【発明を実施するための最良の形態】
【０００５】
ここで図１を参照する。図１には、典型的な無線通信システム１００に採用され組み込まれ得る、本発明の方法および装置の一例を示す。示す例は、各々基地無線（ＢＲ）３，５，７，９，１１，１３を備える複数のセルと、複数の加入者装置１２，１４，１６，１８，２０，２２とからなる。典型的には、基地無線はセルの中心に位置する。加入者装置１２，１４，１６，１８，２０，２２は、基地無線３，５，７，９，１１，１３と通信を送受信する。
【０００６】
好適には、加入者装置（ＳＵ）は、本明細書においてさらに説明するように、時分割多元接続（ＴＤＭＡ）または時分割複信（ＴＤＤ）技術を用いてＢＲと通信することの可能なモバイルデバイスまたは携帯デバイス（車載もしくは携帯型の無線または無線電話など）を含む。ＴＤＭＡまたはＴＤＤ技術においては、指定された時間セグメントが個々の通信用に割り当てられるタイムスロットへ分割される。本発明の代表的な一実施形態では、無線通信システム１００は２スロットＴＤＭＡ通信システムであると仮定するが、しかしながら、ＴＤＭＡ通信システムにおいて他のスロット比が用いられる場合も、本発明の精神および範囲のうちにある。代表的な一実施形態では、ＰＴＴ（プッシュ・ツー・トーク）を押下することによって音声通信が開始され、ＳＵはＢＲに無線媒体のリクエストを送信する。
【０００７】
好適には、ＢＲは無線通信システム１００においてＳＵ間の通信を実施するために、ＳＵ間のデータ／制御および音声情報を通信するための固定設備を備える。本発明の例示の一実施形態には、無線媒体上に有効なＳＵ活動が存在しないと判定した５秒後にキー解除する（ｄｅｋｅｙ）ＢＲが含まれる。代表的な一実施形態では、そのようなタイマを加入者不活動タイマ（ＳＩＴ）と呼ぶ。そのような実施形態では、ＳＩＴはＴＤＭＡ通信システムの２つのタイムスロットのいずれかの上に有効なＳＵ活動が存在しないと判定した５秒後に、キー解除する。無線媒体上に有効なＳＵ活動が存在しないとき、ＳＩＴは始動され、無線媒体上に有効なＳＵ活動が存在するとＢＲが判定するとき、ＳＩＴは停止される。さらに別の例示の実施形態では、無線通信システム１００は１８０秒後にもキー解除するＢＲを備える。そのような期間がＢＲへ供給され、タイムアウトタイマと呼ばれる（ＴＯＴ）。無線媒体上で新たなＳＵ伝送が検出されるとき、ＴＯＴはリセットされる。ＢＲがＳＩＴタイムアウトのためにキー解除するとき、ＴＯＴは停止され、任意の進行中の通信において終了するＴＯＴが期限経過するとき、ＢＲはキー解除する。
【０００８】
ＢＲによって開始または反復され、加入者装置（ＳＵ）へ送信される通信をダウンリンクと呼び、ＳＵによって開始され、ＢＲへ送信される通信をアップリンクと呼ぶ。代表的な一実施形態では、各ＢＲ３，５，７，９，１１，１３は継続的にはダウンリンク通信を送信しないが、ＢＲとＳＵとの間に送信されるタイムスロットがＢＲダウンリンクに基づき同期されるように、各ＢＲは同期される通信を保持する。
【０００９】
例示の一実施形態では、同期はＴＤＭＡバーストの中心を識別するメッセージによって提供される。ＳＵまたはＢＲにおいては、受信機は整合フィルタおよびコリレータを用いてシンボル回復を実行し、ＴＤＭＡバーストの中心を識別する。受信機がチャネルと同期されると、受信機はパターンマッチングを用いて、チャネルが存在し同期されているか否かを識別するメッセージの存在を検出する。このメッセージによって、チャネルに存在する同期のタイプが識別される。例示の一実施形態では、このメッセージは、ａ）音声バーストとデータ／制御バーストおよびリバースチャネルバーストとを区別するため、ｂ）インバウンドチャネルとアウトバウンドチャネルとを区別するため、ｃ）チャネルの変調形式、例えば、モトローラＰ２５フェイズ１  ＦＤＭＡとモトローラＰ２５フェイズ２  ＴＤＭＡとを区別するため、および、ｄ）無線通信システムのタイプ、例えば、モトローラＰ２５システムとモトローラ低層ディジタル・システムとを区別するために用いられる。
【００１０】
本明細書では、用語「通信」および「伝送」は交換可能に用いられ、１つのタイムスロットにおいて１つの無線から発する連続するＴＤＭＡバーストを表す。そのため、伝送は無線通信システム１００に関連する音声、データまたは制御情報を、総称的に表し得る。用語「呼」は、無線通信システム１００におけるＳＵ間の関連する音声伝送を表す。代表的な一実施形態では、呼における音声伝送はアイドルタイムによって分離される。アイドルタイムは、無線媒体がアイドル状態にあることを加入者に通知するメッセージによって信号で送られる。さらに、アイドルタイムがアップリンク上に生じるので、無線媒体がアイドル状態にあることを加入者に通知するメッセージは、ダウンリンクで送信される。
【００１１】
当該技術分野において知られているように、用語「バースト」はＴＤＭＡ送信の最小の独立単位を表す。例示の一実施形態では、モトローラ低層ディジタル・システムにおいて見出されるバーストでは、規定の伝送は２１６ビットのペイロードおよび４８ビットの同期または埋め込みシグナリングである。この規定の伝送の送信には、２７．５ミリ秒を要し、実際の伝送においては、いずれの側にも１．２５ミリ秒のガードタイムが存在する。したがって、そのようなモトローラ低層ディジタル・システムにおいては、「バースト」は３０ミリ秒である。
【００１２】
音声通信用の無線媒体（当該技術分野においては「チャネル」として知られている）にアクセスする前に、ＳＵはリクエストされた音声通信が要求するモードを考慮する。例えば、ＳＵはリピータ・モードまたはトークアラウンド・モードにより音声通信を送信する。リクエストされた音声通信がリピータ・モードを要求する場合、ＳＵは音声通信を完了するためにＢＲを必要とする。例示の一実施形態では、リピータ・モードは、ＳＵがＢＲにアップリンク周波数で送信してＲＦエネルギーを供給するＳＵ音声伝送として定義される。次に、ＢＲはダウンリンク周波数に音声伝送を転送し、目標ＳＵにＲＦエネルギーを供給する。リクエストされた音声通信がトークアラウンド・モードを要求する場合、ＳＵは音声通信を完了するためにＢＲを必要としない。例示の一実施形態では、トークアラウンド・モードは、ＳＵが目標ＳＵにダウンリンク周波数で送信してＲＦエネルギーを供給する、ＳＵ音声伝送として定義される。当該技術分野において知られているように、トークアラウンド・モードはダイレクト・モードとしても知られており、ＳＵがＢＲの支援なしでダウンリンク周波数で送信するＳＵ音声伝送として特徴付けられる。
【００１３】
例示の一実施形態では、ＲＦエネルギーはＳＵまたはＢＲによって供給されてよい。ここで供給されるとは、チャネル上で送信することを意味する。これに加えて、ＳＵとＢＲとの間の通信は音声またはデータ／制御であってよい。したがって、チャネル上には、ＳＵにより供給される音声、ＳＵにより供給されるデータ（／制御）、ＢＲにより供給される音声、およびＢＲにより供給されるデータ（／制御）の４つのタイプの通信が存在する。ＳＵまたはＢＲの受信機において、どのタイプの通信が送信されるか理解し適切に通信を処理するために、通信には、通信タイプを識別するための４８ビット（２４シンボル）のフレーム同期ワードが含まれる。
【００１４】
音声通信用チャネルにアクセスする前に、ＳＵはＳＵの供給された特性を考慮する。ＳＵの供給特性は、動作する方法をＳＵに指示するプログラムされた属性または機能である。例示の一実施形態では、モトローラによって製造されたカスタマ供給ソフトウェア（ＣＰＳ）（無線サービスソフトウェア（ＲＳＳ）としても知られる）は、ＳＵに供給特性を割り当てるために用いられる。例えば、ＳＵは「丁寧（ｐｏｌｉｔｅ）」という供給特性によりチャネルにアクセスすることが可能である。ここで、「丁寧」とは、ＳＵがそのＳＵ自身の通信用のチャネルにアクセスする前に、チャネル上に現在どのタイプの通信が存在するかを考慮することを意味する。代表的な一実施形態では、「丁寧」であることは、チャネル上の全ての音声通信に対し「丁寧」であることと、同じ色符号を有する他のＳＵからのチャネル上の他の音声通信に対してのみ「丁寧」であることとにさらに分けられる。全てに対し「丁寧」であるＳＵは、ＳＵが任意の検出されるチャネル活動に対し「丁寧」であることを意味する。
【００１５】
ＳＵは「丁寧」でない場合、「粗略（ｉｍｐｏｌｉｔｅ）」の供給特性を有する。ここで、「粗略」とは、チャネルが利用可能かつクリアであることをＳＵが最初に確認することなく、その伝送を開始することを意味する。代表的な一実施形態では、「緊急」通信は「粗略」な通信の１つのタイプである。
【００１６】
当該技術分野において知られているように、「色符号」は、同じＢＲを利用するＳＵのグループによって用いられる共通の識別子である。例えば、図１に示すように、ＳＵ１２，１４，２２は同じＢＲ、即ち、ＢＲ９を利用するので、色符号は同一である。さらに、色符号フィールドは埋込み型シグナリングメッセージおよび一般データバーストに存在して、共チャネル干渉が除去されるように、無線ネットワークまたは特定のリピータを取り扱う手段を提供してもよい。さらに、当該技術分野において知られているように、「トークグループ」はＲＦ周波数およびタイムスロットを共有し、同じ色符号を有するＳＵのグループである。例示の一実施形態では、トークグループは１６ビットのトークグループ識別子（ＴＧＩＤ）によって識別され、個々の加入者装置は２４ビットの加入者装置識別子（ＳＵＩＤ）によって識別される。したがって、例示の一実施形態では、１つのトークグループのＳＵが別のトークグループのＳＵを聴取しないように、色符号を共有するＳＵはさらにトークグループへ分けられる。
【００１７】
代表的な一実施形態では、ダイレクト・モードにあり、「粗略」の供給特性を有するＳＵは、チャネルが話中（ビジー；ｂｕｓｙ）であるか否かを考慮することなく、あるいはチャネルの他の因子を考慮することなく、チャネルへのアクセスを有し、音声通信を送信する。
【００１８】
代表的な一実施形態では、ダイレクト・モードにあり、色符号にかかわらず他の全てに対し「丁寧」である供給特性を有するＳＵは、チャネル上のＲＦエネルギーが存在しない限り、チャネルへのアクセスが許可される。用語「チャネル上のＲＦエネルギー」は、チャネル上のＲＦエネルギーがＳＵにおいて供給されるしきい値を越えることを意味する。したがって、代表的な一実施形態では、チャネル上の測定されるＲＦエネルギーレベルがチャネル・アクセスにおけるＣＰＳ特性値より大きいとき、ＳＵはチャネルにアクセスすることを禁止される。これに加えて、ＳＵが呼の参加者である場合、ＳＵは「粗略に」送信することを許可される。ここで、粗略に、とは、ＳＵが音声伝送の最初に送信を開始することを意味する。
【００１９】
代表的な一実施形態では、ダイレクト・モードにあり、同じ色符号のＳＵに対し「丁寧」である供給特性を有するＳＵは、チャネル上のＲＦエネルギーが存在しない限り、あるいはチャネル上の音声伝送がＳＵの色符号とマッチしない限り、チャネルへのアクセスを許可される。したがって、ＳＵはチャネル上にＲＦエネルギーが存在するか否かを考慮し、リクエストされた音声伝送を許可するまたは却下しない前に音声伝送の色符号を判定する。そのような伝送は、チャネル上の音声伝送の色符号を判定することをタイムスロット同期に要求する。これに加えて、ＳＵが呼の参加者である場合、ＳＵは「粗略に」送信することを許可される。ここで、粗略に、とは、ＳＵが音声伝送の最初に送信を開始することを意味する。
【００２０】
代表的な一実施形態では、リピータ・モードにあり、チャネル上の音声通信に対しＳＵが「粗略」である供給特性を有するＳＵは、音声通信を許可する前にＢＲダウンリンクに同期し、正しい色符号を確認し、ＴＤＭＡチャネルを識別することをＳＵに要求する。代表的な一実施形態では、ＢＲがアウェイク状態でない場合、詳細にはＢＲダウンリンクがアクティブでない場合、ＢＲへの同期はＢＲウェイクアップ手続の実行を要求する。リピータ・モードにあり、「粗略」である供給特性を有するＳＵは、呼、即ち、チャネル上の伝送に保護を提供しない。したがって、音声伝送がアナログであるかディジタルであるか、同じ色符号であるか否か、同じ呼であるか否かにかかわらず、「粗略」なＳＵは、そのＳＵ自身の通信用のチャネルにアクセスする。
【００２１】
代表的な一実施形態では、ＳＵがリピータ・モードにあり、チャネル上の全ての音声通信に対しＳＵが「丁寧」である供給特性を有する場合、ＳＵはチャネルの状態を考慮した後にのみ、チャネルへのアクセスが許可される。ＳＵがリピータ・モードにあり、全ての音声通信に対し「丁寧」である場合、共チャネルユーザの伝送は、それらの伝送がアナログであるかディジタルであるか、同じ色符号であるか否か、同じ呼であるか否かによらず保護される。これに加えて、ＳＵが継続中の呼の参加者である場合、ＳＵは「粗略に」送信することを許可される。ここで、粗略に、とは、進行中のアクティブ伝送の「最初」を意味する。ＳＵが継続中の呼の参加者でない場合、ＳＵはチャネルへのアクセスを許可されない。動作時には、チャネル上にＲＦエネルギーが存在するか否かを考慮することを要求するそのような組み合わせは、ＢＲダウンリンクの同期を要求して、音声通信用チャネルにアクセスする前に正しい色符号を確認し、ＴＤＭＡチャネルを識別する。さらに、ＢＲがアウェイク状態でない場合、詳細にはＢＲダウンリンクがアクティブでない場合、ＢＲへの同期はＢＲウェイクアップ手続の実行を要求する。
【００２２】
代表的な一実施形態では、リピータ・モードにあり、同じ色符号に対し「丁寧」である供給特性を有するＳＵは、チャネルの状態を考慮した後にのみ、ＳＵが無線チャネルへアクセスすることを許可する。そのような組み合わせによって、同じ色符号を用いるディジタル共チャネルユーザが保護される。これに加えて、ＳＵが任意の継続している呼または伝送の参加者である場合、ＳＵは「粗略に」送信することを許可される。ＳＵがリピータ・モードにあり、「粗略」である供給特性を有する上述の状況と同様に、ＳＵは音声伝送を許可する前にＲＦエネルギー検出を考慮し、ＢＲダウンリンクに同期し、正しい色符号を確認し、ＴＤＭＡチャネルを識別することを要求される。さらに、ＢＲがアウェイク状態でない場合、詳細にはＢＲダウンリンクがアクティブでない場合、ＢＲへの同期はＢＲウェイクアップ手続の実行を要求する。
【００２３】
図２〜４を参照すると、動作時には、加入者装置がアウェイク状態にあり、音声伝送用アクセスをリクエストする必要がある。図２に示すように、加入者装置はＰＴＴを押下することによって、音声伝送をリクエストする（ブロック２０２）。ＰＴＴが押下される場合、ＳＵはＳＵが継続中の呼の参加者であるか否かを検査する（ブロック２０３）。ＳＵが継続中の呼の参加者である場合（ブロック２０３）、ＳＵは音声伝送用チャネルにアクセスすることを許可される（ブロック４１６）。ＳＵが継続中の呼の参加者でない場合、ＳＵがまだアウェイク状態でないとき（ブロック２０４）には、ＳＵはアウェイク状態とされる必要がある（ブロック２０８）。ＳＵがアウェイク状態である場合、ＳＵがＲＦチャネルを走査中であるか否かの判定が行われる（ブロック２０６）。ＳＵが走査中である場合、ＳＵは走査を停止し、特定周波数に調整して音声伝送をリクエストする（ブロック２１０）。ＳＵが走査中でない場合、処理は続く。
【００２４】
続いて、ＳＵは音声伝送をリクエストする。ＳＵが通信のためにリピータが必要でないダイレクト・モードによる音声伝送をリクエストする場合（ブロック２１２）、ＳＵはＲＦエネルギー用のチャネルを監視する（ブロック２１４）。ダイレクト・モードはトークアラウンド・モードとしても知られている。ＳＵがダイレクト・モードでない（リピータ・モードとしても知られている）音声伝送をリクエストする場合（ブロック２１２）、ＳＵはＲＦエネルギー用のチャネルを監視する（ブロック２２２）。例示の一実施形態においては、ダイレクト・モードでは、ＳＵはＳＵにより供給される同期を用いてダウンリンク周波数で送信し、リピータ・モードでは、ＳＵはＳＵにより供給される同期を用いてアップリンク周波数で送信する。
【００２５】
ダイレクト・モードにおいては、ＲＦエネルギーしきい値を超える場合（ブロック２１４）、ＳＵは同期および色符号情報を探索する。さらなる説明においては、同期および色符号に関する上述の説明を参照すること。同期および色符号情報から、ＳＵは音声伝送が非緊急呼であり「丁寧」なチャネル・アクセスに供給されているか否かを判定する（ブロック２１６）。さらに、この「丁寧」なチャネル・アクセスが、ＳＵが全てに対し「丁寧」であることを指定する場合（ブロック２１８）、ＳＵはＳＵユーザに負のフィードバックを送信する（ブロック２２０）。したがって、音声伝送は無線チャネル上で送信されない。これに代えて、この「丁寧」なチャネル・アクセスが、ＳＵが全てに対し「丁寧」なのではなく、自身の色符号に対し「丁寧」であることを指定する場合（ブロック２１８）、図３に示すように、ＳＵはタイムスロットが同期されているか否かを判定する（ブロック３０２）。
【００２６】
さらに、ダイレクト・モードにあって、ＲＦエネルギーしきい値を超えない場合（ブロック２１４）、図４に示すように、ＳＵは送信する準備が完了している（ブロック４１８）。また、ダイレクト・モードにあって、ＲＦエネルギーしきい値を超え（ブロック２１４）、音声伝送が緊急呼であるかまたは音声伝送が「粗略」である場合（ブロック２１６）、図４に示すように、ＳＵは無線チャネルを用いて音声通信を実行することを許可される（ブロック４１８）。
【００２７】
リピータ・モードにおいては、ＲＦエネルギーしきい値を超えない場合（ブロック２２２）、基地リピータ（ＢＲ）がまだアウェイク状態でないときには、ＢＲをアウェイク状態とする必要がある（ブロック２２４）。ＳＵによってウェイクアップ手続が開始され（ブロック２２４）、ＢＲに対し１スロットウェイクアップメッセージが送信される（ブロック２２８）。このウェイクアップメッセージは、同期および色符号情報を搬送するアイドルメッセージである。ＢＲは色符号が正しいことを確認し、ダウンリンクを作動させる。したがって、図２に示すように、ＢＲがキー設定（ｋｅｙ）されていない場合、即ち、ウェイクアップ手続がＢＲをアウェイク状態とする（ｗａｋｅ）ことに成功しない場合、音声伝送リクエストは許可されない。ＢＲウェイクアップの試行が２つの試行の後に成功しない場合（ブロック２２６）、ＳＵユーザに負のフィードバックが与えられる（ブロック２３０）。
【００２８】
さらに、リピータ・モードにおいては、ＲＦエネルギーしきい値を超える場合、図３に示すように、ＳＵはタイムスロットが同期されているか否かを判定する（ブロック３０２）。この場合にも、上述のように、ＲＦエネルギーしきい値を超えるとき、ＳＵは同期および色符号情報を探索する。
【００２９】
ここで図３を参照すると、ＳＵはＳＵとＢＲとの間の通信が同期されているか否かを最初に検査する。ＳＵとＢＲとの間の通信が同期されていない場合、ＳＵは同期を実行することを試みる（ブロック３０４）。同期を試みた後（ブロック３０４）、ＳＵはモードを検査し（ブロック３０８）、通信のタイプ（例えば、緊急、非緊急など）を検査し（ブロック３１０）、「丁寧性」のタイプ（例えば、全てに対し「丁寧」、自身の色符号に対し「丁寧」、「粗略」など）を検査する（ブロック３１０，３１２）。ＳＵがＢＲとＳＵとの間の通信を同期させることが不可能であり、上述のパラメータを検査する場合、ユーザに負のフィードバックが与えられる（ブロック３１４）。
【００３０】
代表的な一実施形態では、ＢＲとＳＵとの間の同期を実行すること（ブロック３０４）には、タイムスロット同期信号を検出するために所定の期間を待機することが含まれる。タイムスロット同期信号は、４８ビット（２４シンボルとしても知られている）のフレーム同期ワードである。単一のタイムスロットに対しては、タイムスロット同期信号は、音声呼中には３６０ミリ秒毎に利用可能であり、呼ハングタイム、チャネルハングタイムおよびデータ伝送中を含む他の条件中には、６０ミリ秒毎に利用可能であってもよい。同期の実行（ブロック３０４）は、所定期間内にタイムスロット同期信号を検出することによって完了する（ブロック３０６）。
【００３１】
ＳＵとＢＲとの間の通信が同期されている（ブロック３０２）か、またはＳＵがＢＲとＳＵとの間の同期を成功裡に実行することが可能である（ブロック３０４）場合、ＳＵはＴＤＭＡチャネルから色符号を回復する（ブロック３１６）。代表的な一実施形態では、回復された色符号は、音声同期を含むバースト以外のバースト毎に利用可能である。さらに、代表的な一実施形態では、マッチが生じたと言われる前に、ＳＵは回復された色符号をＳＵにより供給される色符号と２度マッチさせる（ブロック３１８）。ＳＵにおいて、回復された色符号がＳＵにより供給される色符号とマッチし（ブロック３１８）、ＳＵがダイレクト・モードにある場合、ＳＵは送信することを許可されず、ＳＵユーザに負のフィードバックが与えられる（ブロック３２４）。ダイレクト・モードにあって（ブロック３２０）、回復された色符号がＳＵにより供給される色符号とマッチしない（ブロック３１８）場合、図４に示すように、ＳＵは無線チャネルを用いて音声通信を実行することを許可される（ブロック４１８）。
【００３２】
ここで図４を参照すると、ＳＵユーザに対し負のフィードバックが与えられる幾つかの状況が存在する（ブロック４０８，４２０）。１つの状況ではＳＵはリピータ・モードにあり、ＲＦエネルギーを検出し、ＢＲと同期されていて、回復された色符号は供給される色符号とマッチするが、いずれのタイムスロットが１であり、いずれのタイムスロットが２であるかをＳＵが所定期間内に識別することは不可能である（ブロック４０４）。ＳＵは共通アナウンスメントチャネル（ＣＡＣＨ；Ｃｏｍｍｏｎ  Ａｎｎｏｕｎｃｅｍｅｎｔ  Ｃｈａｎｎｅｌ）メッセージのＴＤＭＡチャネルフィールドを復号することによって、タイムスロット番号を判定する。代表的な一実施形態では、タイムスロット番号が判定される前に、ＳＵはＣＡＣＨメッセージのＴＤＭＡチャネルフィールドを２度マッチさせる（ブロック４０４）。ＳＵが所定期間内にタイムスロット番号を判定することが不可能である場合（ブロック４０６）、ＳＵユーザに対し負のフィードバックが与えられる（ブロック４０８）。
【００３３】
これに加えて、音声伝送が非緊急呼であり「丁寧」なチャネル・アクセスに供給されているとＳＵが判定する場合（ブロック４１０）であって、タイムスロットがシステムワイド通信に使用されるとき（ブロック４１６）、あるいはタイムスロットが別のＳＵによって使用されビジーであるとき（ブロック４１４）には、ＳＵユーザに対し負のフィードバックが与えられる（ブロック４２０）。他の全ての場合には、ＳＵは無線チャネルを用いて音声通信を実行することを許可される（ブロック４１８）。例えば、「丁寧」なＳＵがそのＳＵの緊急機能を作動させる場合、ＳＵは「粗略に」作用し、チャネルへのアクセスを有する。
【００３４】
ＳＵに音声伝送を許可するにあたり（ブロック４１８）、目標タイムスロットがアイドル状態であるか否かをＳＵが判定してもよい（ブロック４１２）。ＣＡＣＨメッセージのチャネル状態フィールドがアイドルチャネルを示す場合、目標タイムスロットはアイドル状態であると考えられる。さらに、タイムスロットがシステムワイド通信に使用されているか否かをＳＵが判定するにあたり（ブロック４１６）、ＳＵはタイムスロットがアイドル状態であるかビジーであるかを最初に判定する。これは、ＣＡＣＨメッセージのアクセスタイプフィールドを復号することによって行われる（ブロック４１２）。タイムスロットがアイドル状態であることをアクセスタイプフィールドが示す場合、ＳＵは別のＣＡＣＨメッセージを復号し、アクセスタイプフィールドを検査することによって、アイドル状態であることの判定を確認する。タイムスロットがアイドル状態でないことをアクセスタイプフィールドが示す場合、ＳＵはＳＵがタイムスロット上の活動の参加者であるか否かを判定する（ブロック４１４）。ＳＵはチャネル上でリンク制御情報を観察することによって、ＳＵが活動の参加者であるか否かを判定する。ＳＵが活動の参加者ではないことをリンク制御情報が示す場合、ＳＵはタイムスロット上の活動がシステムワイド活動に使用されているか否かを判定する。タイムスロット上の活動がシステムワイド活動でない場合（ブロック４１６）、ＳＵは音声伝送用チャネルへのアクセスを許可される（ブロック４１８）。
【００３５】
ＳＵが音声伝送を終了すると、ＢＲはハングタイムメッセージを送信する。ここで、ハングタイムは、ＳＵの音声伝送の終わりから開始する期間として定義され、アップリンク上の活動はない。ＳＵは、ハングタイム中にチャネル・アクセスをリクエストし、アップリンクのアイドル状態を利用する機会を与えられる。本発明の典型的な一実施形態では、従来のハングタイム期間は呼ハングタイム期間およびチャネルハングタイム期間に分けられる。本明細書においては、呼は、ＢＲがチャネルハングタイムへ遷移するとき、ＢＲがキー解除するとき、あるいはチャネルが「粗略」な伝送によってオーバーテイクされるときに終了する。
【００３６】
呼ハングタイム中には、ＢＲはアップリンクがビジーでないときであっても、チャネル状態ビットをビジーにセットする。さらに、ＢＲはリンク制御情報を送信して、呼の参加者であったＳＵがチャネル状態ビットをオーバライドし音声伝送用チャネルにアクセスしてよいことを広告する。さらに、ＢＲは既にキー設定されているので、ＳＵがＢＲをアウェイク状態とする必要はない。詳細には、呼の参加者であったＳＵは、ＢＲウェイクアップ手続を開始する必要なく、先の呼に関係しない新たな音声伝送用のチャネルにアクセスし得る。呼ハングタイムはＳＵ音声伝送の終わりに開始し、チャネルハングタイムが開始するときに終了する。代表的な一実施形態では、呼ハングタイムは呼の後に数秒、例えば３秒、続く。
【００３７】
チャネルハングタイム中には、ＢＲはチャネル状態ビットをアイドル状態にセットすることによって、任意のＳＵがＢＲウェイクアップシーケンスを最初に送信することなくチャネルにアクセスすることを可能とする。ＢＲが既にキー設定されているので、ＳＵがＢＲをアウェイク状態とする必要はない。したがって、チャネルへのアクセスを求めるＳＵは、ＢＲをアウェイク状態とする必要がないことによって時間を節約する。チャネルハングタイム中には、ＢＲはアイドルＴＤＭＡバーストを送信して、チャネルが使用されておらず、使用のために予約されていないことを確認する。チャネルハングタイムは呼ハングタイムの終わりに開始する期間として定義され、ＢＲがＳＩＴの期限経過時にキー解除するときに終了する。さらに、ＳＩＴは呼ハングタイムにチャネルハングタイムを加えた時間をカバーする。代表的な一実施形態では、チャネルハングタイムは呼ハングタイムの終わりに開始し、数秒、例えば２秒、続く。
【００３８】
本発明の代表的な一実施形態では、ＳＵはチャネルにアクセスする前に、ハングタイムおよび「丁寧性」を考慮する。詳細には、呼ハングタイム中、ＳＵに「丁寧」なチャネル・アクセスが供給されるか、「粗略」なチャネル・アクセスが供給されるかにかかわらず、呼の参加者であるＳＵはチャネルにアクセスしてよい。したがって、チャネルが呼ハングタイム中であるという表示を呼の参加者であるＳＵが受信する場合、ＳＵはチャネルへのアクセスをリクエストすることが可能である。一方、ＳＵに「丁寧」なチャネル・アクセスが供給される場合、呼の参加者でないＳＵは呼ハングタイム中に送信しなくてよい。したがって、チャネル上で別の呼の開始が許可される前に、呼の参加者であるＳＵは呼を継続する機会を最初に提供される。
【００３９】
「粗略」なチャネル・アクセスの場合、「粗略」なチャネル・アクセスの供給されるＳＵは、ａ）別のＳＵによるアクティブ伝送中、ｂ）呼ハングタイム中、ｃ）チャネルハングタイム中、および、ｄ）ＢＲがアウェイク状態でない場合も含め、任意の時間に音声伝送を開始し得る。したがって、「粗略」なチャネル・アクセスの供給されるＳＵはＣＡＣＨメッセージのチャネル状態フィールドを無視し、呼ハングタイムとチャネルハングタイムとを区別することを試みない。
【００４０】
したがって、本発明は、音声伝送が発生する前にＳＵがチャネル上の実際の状況を考慮することを可能とする。これによって、多くの場合、チャネルにアクセスする時間が低減される。これに加えて、本発明は、呼の参加者でないが同じ色符号であるＳＵによって呼が中断される尤度を低減することによって、継続中の呼の連続性を保護する。
【図面の簡単な説明】
【００４１】
【図１】本発明の一実施形態による代表的な一無線通信システムのブロック図。
【図２】音声伝送用チャネル・アクセスを提供するための代表的な一方法のフローチャート。
【図３】図２に示す代表的な一方法のフローチャートの続き。
【図４】図２および３に示す代表的な一方法のフローチャートのさらに続き。
【図１】
2008500785.tif 000003
【図２】
2008500785.tif 000004
【図３】
2008500785.tif 000005
【図４】
2008500785.tif 000006
【国際調査報告】
2008500785.tif 000007
2008500785.tif 000008